(57)【特許請求の範囲】
【請求項１】
複数のデータ提供サーバそれぞれからデータを取得し管理する管理サーバと通信を行う携帯端末であって、
複数のデータの種別それぞれについての、当該種別のデータの送信を前記管理サーバに許可させる条件を示す条件情報を当該管理サーバへ送信する条件送信部と、
前記管理サーバが取得した各データのうち、前記条件情報に基づいて送信を許可するデータが存在するかを前記管理サーバに問い合わせ、存在する場合に、当該管理サーバから当該送信を許可するデータを受信するデータ受信部とを備え、
前記条件情報は、前記複数のデータの種別それぞれについての、複数の優先度の中からユーザにより指定された１つの優先度に応じて定まる条件を示す
ことを特徴とする携帯端末。
【請求項２】
前記優先度には、第１の優先度と当該第１の優先度より低い第２の優先度とが含まれ、
前記条件情報が示す前記第１の優先度が設定された種別のデータについての条件より、前記条件情報が示す前記第２の優先度が設定された種別のデータについての条件の方が制限的である
ことを特徴とする請求項１記載の携帯端末。
【請求項３】
前記条件情報は、
前記複数のデータの種別それぞれについての、当該種別のデータの送信を許可させる時間的条件を示すものである
ことを特徴とする請求項２記載の携帯端末。
【請求項４】
前記データ受信部は、
前記管理サーバに問い合わせた結果、前記送信を許可するデータが存在する場合に、当該送信を許可するデータの全てを受信する
ことを特徴とする請求項１記載の携帯端末。
【請求項５】
前記携帯端末は、
一定時間以上ユーザ操作がない場合に、動作モードを通常モードから、当該通常モードよりも電力消費の少ない省電力モードに切り替え、ユーザ操作があるまで、所定時間毎に、前記省電力モードから前記通常モードに切り替えるモード切替部を備え、
前記データ受信部は、
バッテリーからの電力供給を受けて、前記通常モードである場合に、前記問い合わせを行う
ことを特徴とする請求項１記載の携帯端末。
【請求項６】
前記携帯端末は、更に
前記管理サーバが、前記複数のデータ提供サーバから取得するデータの種別を指定する指定情報を送信する指定送信部を備える
ことを特徴とする請求項１記載の携帯端末。
【請求項７】
複数のデータ提供サーバ及び携帯端末それぞれと通信を行う管理サーバであって、
前記複数のデータ提供サーバそれぞれからデータを取得する取得部と、
前記取得部が取得した各データを記憶するデータ記憶部と、
複数のデータの種別それぞれについての、当該種別のデータの送信を許可する条件を示す条件情報を記憶する条件記憶部と、
前記携帯端末からの問い合わせがあった場合に、前記データ記憶部が記憶する各データのうち、前記条件情報が示す条件に合致するデータを特定する特定部と、
前記特定部が特定したデータを前記携帯端末に送信する送信部とを備え、
前記条件情報は、前記複数のデータの種別それぞれについての、複数の優先度の中からユーザにより指定された１つの優先度に応じて定まる条件を示す
ことを特徴とする管理サーバ。
【請求項８】
複数のデータ提供サーバそれぞれからデータを取得し管理する管理サーバと通信を行う携帯端末におけるデータ受信方法であって、
複数のデータの種別それぞれについての、当該種別のデータの送信を前記管理サーバに許可させる条件を示す条件情報を当該管理サーバへ送信する条件送信ステップと、
前記管理サーバが取得した各データのうち、前記条件情報に基づいて送信を許可するデータが存在するかを前記管理サーバに問い合わせ、存在する場合に、当該管理サーバから当該送信を許可するデータを受信するデータ受信ステップとを含み、
前記条件情報は、前記複数のデータの種別それぞれについての、複数の優先度の中からユーザにより指定された１つの優先度に応じて定まる条件を示す
ことを特徴とするデータ受信方法。
【請求項９】
複数のデータ提供サーバそれぞれからデータを取得し管理する管理サーバと通信を行う携帯端末におけるプロセッサにデータ受信処理を行わせるためのプログラムであって、
前記データ受信処理は、
複数のデータの種別それぞれについての、当該種別のデータの送信を前記管理サーバに許可させる条件を示す条件情報を当該管理サーバへ送信する条件送信ステップと、
前記管理サーバが取得した各データのうち、前記条件情報に基づいて送信を許可するデータが存在するかを前記管理サーバに問い合わせ、存在する場合に、当該管理サーバから当該送信を許可するデータを受信するデータ受信ステップとを含み、
前記条件情報は、前記複数のデータの種別それぞれについての、複数の優先度の中からユーザにより指定された１つの優先度に応じて定まる条件を示す
ことを特徴とするプログラム。
【発明の詳細な説明】
【技術分野】
【０００１】
本発明は、携帯電話機等の携帯端末に関し、特にデータ受信制御技術に関する。
【背景技術】
【０００２】
近年の携帯電話機等の携帯端末には、複数の通信アプリケーションがインストールされ、それぞれのアプリケーションが個別にデータの受信を行うため、携帯端末の電力消費量が増え、バッテリーの持ちが悪くなるという問題がある。
この問題に対しては、携帯端末に対するデータの送信タイミングを制御する技術（例えば特許文献１）を利用することが考えられる。
【０００３】
特許文献１に係る留守番電話サーバは、携帯電話機が着信に応答しない場合に、留守番電話のメッセージを受け付け、携帯電話機が存在する場所やユーザのスケジュール等に基づいて、適切なタイミングで留守番メッセージを携帯電話機に送信するという技術である。
この特許文献１の技術を利用することにより、例えば、ユーザがデータを参照したいタイミングで、携帯端末はデータを受信することができる。
【先行技術文献】
【特許文献】
【０００４】
【特許文献１】特開２００８−６０７４０号公報
【発明の概要】
【発明が解決しようとする課題】
【０００５】
しかしながら、一般的に、携帯端末が受信するデータの中には、ユーザが、すぐに参照したいと考えるものや、後で参照できれば足りると考えるものが存在する。
そこで、本発明は係る問題に鑑みてなされたものであり、電力消費量を抑えつつも、データの種別を考慮したタイミングでデータを受信できるようにした携帯端末を提供する。
【課題を解決するための手段】
【０００６】
上記課題を解決するために、本発明に係る携帯端末は、複数のデータ提供サーバそれぞれからデータを取得し管理する管理サーバと通信を行う携帯端末であって、複数のデータの種別それぞれについての、当該種別のデータの送信を前記管理サーバに許可させる条件を示す条件情報を当該管理サーバへ送信する条件送信部と、前記管理サーバが取得した各データのうち、前記条件情報に基づいて送信を許可するデータが存在するかを前記管理サーバに問い合わせ、存在する場合に、当該管理サーバから当該送信を許可するデータを受信するデータ受信部とを備え、前記条件情報は、前記複数のデータの種別それぞれについての、複数の優先度の中からユーザにより指定された１つの優先度に応じて定まる条件を示すことを特徴とする。
【発明の効果】
【０００７】
上記構成を備える本発明に係る携帯端末によれば、電力消費量を抑えつつも、データの種別を考慮したタイミングでデータを受信できる。
【図面の簡単な説明】
【０００８】
【図１】実施の形態に係るデータ配信システム１０００のシステム構成図
【図２】携帯電話機１００ａの外観を示す正面図
【図３】携帯電話機１００ａの主要部の機能構成を示すブロック図
【図４】管理サーバ２００の主要部の機能構成を示すブロック図
【図５】データ種別テーブル１０、優先度テーブル１５、送信条件テーブル２０のデータ構成例及び内容例を示す図
【図６】設定テーブル３０及びサーバ情報テーブル４０のデータ構成例及び内容例を示す図
【図７】データ種別テーブル１０に各レコードを登録するためのデータ種別設定画面Ｓ１ａ及びＳ１ｂを示す図
【図８】データ種別テーブル１０に各レコードを登録するためのデータ種別設定画面Ｓ１ｃ及びＳ１ｄを示す図
【図９】優先度テーブル１５に各レコードを登録するための優先度設定画面Ｓ２ａ及びＳ２ｂを示す図
【図１０】優先度テーブル１５に各レコードを登録するための優先度設定画面Ｓ２ｃを示す図
【図１１】送信条件テーブル２０に各レコードを登録するための送信条件設定画面Ｓ３ａ及びＳ３ｂを示す図
【図１２】送信条件テーブル２０に各レコードを登録するための送信条件設定画面Ｓ３ｃ及びＳ３ｄを示す図
【図１３】送信条件テーブル２０に各レコードを登録するための送信条件設定画面Ｓ３ｅ及びＳ３ｆを示す図
【図１４】送信条件テーブル２０に各レコードを登録するための送信条件設定画面Ｓ３ｇを示す図
【図１５】携帯電話機１００ａによるテーブル設定送信処理及び管理サーバ２００による設定テーブル登録処理を示すフローチャート
【図１６】携帯電話機１００ａによる送信許可データの受信処理及び管理サーバ２００による送信許可データの特定送信処理を示すフローチャート
【発明を実施するための形態】
【０００９】
以下、本発明に係る携帯端末及び管理サーバの一実施形態としての携帯電話機及び管理サーバについて説明する。
≪１．実施の形態≫
＜１−１．システム構成＞
図１は、実施の形態に係る携帯電話機１００ａ、１００ｂ及び管理サーバ２００を含むデータ配信システム１０００のシステム構成図である。
【００１０】
同図に示すように、データ配信システム１０００は、携帯電話機１００ａ、１００ｂ、管理サーバ２００、メールサーバ３００ａ、ＳＮＳ（Ｓｏｃｉａｌ  Ｎｅｔｗｏｒｋｉｎｇ  Ｓｅｒｖｉｃｅ）サーバＡ３００ｂ及びＳＮＳサーバＢ３００ｃを含んで構成される。
なお、以下では、メールサーバ３００ａ、ＳＮＳサーバＡ３００ｂ及びＳＮＳサーバＢ３００ｃのことを、まとめて「各データ提供サーバ」ともいう。
【００１１】
ここで、各携帯電話機（１００ａ、１００ｂ）は、基地局３及び携帯電話網１を介してインターネット２に接続可能なだけでなく、アクセスポイント４を介してインターネット２に接続可能である。そして、各携帯電話機は、このインターネット２を介して、管理サーバ２００と通信を行う。
また、管理サーバ２００は、インターネット２を介して、各データ提供サーバ（３００ａ、３００ｂ、３００ｃ）と通信可能であり、各データ提供サーバが提供するデータを取得する。各データ提供サーバが提供するデータとは、メールサーバ３００ａの場合は、メールであり、各ＳＮＳサーバ（３００ｂ、３００ｃ）それぞれの場合は、そのＳＮＳサーバが提供するＳＮＳサービスの係るメッセージである。
【００１２】
そして、管理サーバ２００は、送信を許可するデータ（以下、「送信許可データ」ともいう）があるか否かの問い合わせを各携帯電話機から受けた際に、各データ提供サーバから取得済のデータの中から、問い合わせを行ってきた携帯電話機から予め取得している送信条件に応じて送信許可データを特定し、特定した全てのデータをその携帯電話機に送信する。
【００１３】
例えば、自分宛のメール（ｔｏで送信されたメール）等、ユーザがすぐに参照したいと考えるデータについては随時送信するように、一斉送信のメール（ｃｃやｂｃｃで送信されたメール）等、ユーザがすぐに参照しなくてもよいと考えるデータについては特定の時間帯に送信するように条件情報を設定しておく。これにより、各携帯電話機は、管理サーバが各データ提供サーバそれぞれから取得したデータを無条件で受信する場合と比較し、１回あたりのデータの受信にかかる時間を減らし得る。よって、各携帯電話機における一定時間内の電力消費量を抑え、バッテリーの持ちを良くすることができる。
【００１４】
また、各携帯電話機は、管理サーバ２００に１回の問い合わせを行うだけで、各データ提供サーバそれぞれのデータを受信できる。従って、各データ提供サーバそれぞれに問い合わせてデータを受信する場合と比較し、問い合わせ回数を減らすことができ、一定時間内の電力消費量を抑え、バッテリーの持ちを良くすることができる。
なお、同図では、一例として、３台のデータ提供サーバ（３００ａ、３００ｂ、３００ｃ）を示しているが、データ提供サーバの数は複数であれば何台でもよい。また、同図では、一例として、２台の携帯電話機（１００ａ、１００ｂ）を示しているが、携帯電話機の数は、１台以上であれば何台でもよい。更に、同図では、一例として、１台の管理サーバ２００を示しているが、管理サーバの数は１台以上であれば何台でもよく、例えば、携帯電話機の数に応じて管理サーバの数を増やしてもよい。また、同図では、一例として、１台の基地局３と、１台のアクセスポイント４を示しているが、基地局及びアクセスポイントの数は、勿論それぞれ複数あってもよい。
【００１５】
各携帯電話機の構成は同様であるため、以下では、携帯電話機１００ａを例に説明する。
＜１−２．携帯電話機の装置構成＞
図２は、携帯電話機１００ａの外観を示す正面図である。
同図に示すように、携帯電話機１００ａは、いわゆるストレート型の端末であり、筐体１０１には、レシーバ１０２、マイク１０３及びタッチパッド付きのディスプレイ１１０が配置されている。
【００１６】
＜１−３．携帯電話機の機能構成＞
図３は、携帯電話機１００ａの主要部の機能構成を示すブロック図である。
携帯電話機１００ａは、同図に示すように、ディスプレイ１１０、コントローラ１１４、第１通信部１２０、第２通信部１２１、第１計時部１３０、第２計時部１３１、記憶部１４０及び制御部１５０を備える。
【００１７】
なお、携帯電話機１００aは、プロセッサ及びメモリを含んで構成されており、制御部１５０の機能は、メモリに記憶されているプログラムをプロセッサが実行することにより実現される。また、携帯電話機１００aの各機能部は、携帯電話機１００ａが備えるバッテリー（不図示）からの電力供給を受けて動作する。
ディスプレイ１１０は、ＬＣＤ（Ｌｉｑｕｉｄ  Ｃｒｙｓｔａｌ  Ｄｉｓｐｌａｙ）１１１、バックライト１１２及びタッチパッド１１３を含む。
【００１８】
ここで、バックライト１１２は、エッジライト方式のＬＥＤバックライトであり、タッチパッド１１３は、静電容量方式のタッチセンサであり、ＬＣＤ１１１に重畳して設けられている。なお、タッチパッド１１３は、透明部材を用いて構成されており、ＬＣＤ１１１に表示された画像が見えるように構成されている。
また、コントローラ１１４は、タッチパッド１１３に対するユーザの指等の接触を検出し、検出している間、単位時間（例えば、２５ｍｓ）毎に、そのタッチパッド１１３における接触位置の座標値（ｘ，ｙ）を制御部１５０に出力するＩＣ（Ｉｎｔｅｇｒａｔｅｄ  Ｃｉｒｃｕｉｔ）である。
【００１９】
第１通信部１２０は、アンテナを介して基地局３との間で電波の送受信を行う回路である。
第２通信部１２１は、アンテナを介してアクセスポイント４との間で電波の送受信を行う回路であり、例えば、ＩＥＥＥ  ８０２．１１規格に準拠した無線ＬＡＮアダプタにより実現される。
【００２０】
第１計時部１３０は、制御部１５０からの指示に応じて計時を開始し、後述する通常モードにおいて管理サーバ２００に送信許可データがあるかを問い合わせる周期である第１時間（例えば、５秒程度）を計時すると、その旨を制御部１５０に通知する機能を有する。また、第２計時部１３１は、制御部１５０からの指示に応じて計時を開始し、後述する省電力モードにおいて管理サーバ２００に送信許可データがあるかを問い合わせる周期である第２時間（例えば、２０秒程度）を計時すると、その旨を制御部１５０に通知する機能を有する。第１及び第２計時部（１３０、１３１）は、例えば、タイマやカウンタにより実現される。なお、第１計時部１３０が計時する第１時間と、第２計時部１３１が計時する第２時間は、携帯電話機１００ａのメーカにより予め設定されているものとする。
【００２１】
記憶部１４０は、データ種別テーブル１０、優先度テーブル１５及び送信条件テーブル２０を記憶するためのメモリ領域である。
ここで、データ種別テーブル１０は、管理サーバ２００が各データ提供サーバから取得する複数のデータの種別のうち、携帯電話機１００ａのユーザが管理サーバ２００に送信させたいデータの種別等を登録したものである（図５（ａ）参照）。
【００２２】
また、優先度テーブル１５は、携帯電話機１００ａのユーザが管理サーバ２００に送信させたいデータの種別毎に、その種別のデータの送信の優先度を登録したものである（図５（ｂ）参照）。
また、送信条件テーブル２０は、送信の優先度毎に、その優先度が設定された種別のデータの送信を、管理サーバ２００に許可させる条件を登録したものである（図５（ｃ）参照）。
【００２３】
なお、各テーブル（１０、１５、２０）へのデータの登録は、ユーザ操作に基づいて行われることになるが、その登録方法については、後述する（図７〜１４参照）。
また、制御部１５０は、一般的な携帯電話機が有する機能の他、特に、第１通信部１２０又は第２通信部１２１を介して管理サーバ２００に、記憶部１４０に記憶されている各テーブルの内容を送信する機能や、送信許可データが存在するかの問い合わせを行い、存在する場合に当該データを管理サーバ２００から受信する機能を有する。制御部１５０は、表示制御部１５１、検出部１５２、モード切替部１５３、指定条件部１５４及びデータ取得部１５５を含んで構成される。
【００２４】
ここで、表示制御部１５１は、コントローラ１１４からの座標値に基づいて、ユーザ操作の内容を特定し、特定したユーザ操作に応じて、文字や画像等をディスプレイ１１０に表示させる機能を有する。
また、検出部１５２は、第２通信部１２１がアクセスポイント４を介してインターネット２へ接続したことを検出する機能を有する。
【００２５】
モード切替部１５３は、コントローラ１１４からの座標値の出力の有無に基づいて、携帯電話機１００ａの動作モードを、通常モードと通常モードよりも電力消費の少ない省電力モードとの間で切り替える機能を有する。具体的には、モード切替部１５３は、通常モードである場合に、コントローラ１１４から最後に座標値が出力されてから一定時間（この例では１５秒）が経過した際に、一定時間ユーザ操作がないと判定し、携帯電話機１００ａの動作モードを省電力モードに切り替える。つまり、モード切替部１５３は、バックライト１１２を消灯させ、かつ携帯電話機１００ａのプロセッサをコントローラ１１４からの入力割り込み待ちの状態にする。
【００２６】
また、モード切替部１５３は、省電力モードである場合に、コントローラ１１４からの入力割り込みがあると通常状態に切り替える。つまり、モード切替部１５３は、バックライト１１２を点灯させ、かつ携帯電話機１００ａのプロセッサを入力割り込み待ちの状態から復帰させる。なお、モード切替部１５３は、動作モードを、省電力モードに切り替えた場合に、第２計時部１３１に計時を開始させ、通常モードに切り替えた場合に、第１計時部１３０に計時を開始させる。
【００２７】
指定条件部１５４は、第１通信部１２０又は第２通信部１２１を介して、管理サーバ２００に、記憶部１４０に記憶されている各テーブルの内容を送信する機能を有する。
データ取得部１５５は、第１通信部１２０又は第２通信部１２１を介して、管理サーバ２００に、送信許可データが存在するかの問い合わせを行い、存在する場合に当該データを受信する機能を有する。
【００２８】
＜１−４．管理サーバの機能構成＞
図４は、管理サーバ２００の主要部の機能構成を示すブロック図である。
管理サーバ２００は、同図に示すように、通信部２１０、記憶部２２０及び制御部２３０を備える。なお、管理サーバ２００は、プロセッサ及びメモリを含んで構成されており、制御部２３０の機能は、メモリに記憶されているプログラムをプロセッサが実行することにより実現される。
【００２９】
通信部２１０は、ＮＩＣ（Ｎｅｔｗｏｒｋ  Ｉｎｔｅｒｆａｃｅ  Ｃａｒｄ）を含み、インターネット２を介して、各携帯電話機（１００ａ、１００ｂ）及び各データ提供サーバ（３００ａ、３００ｂ、３００ｃ）と通信を行う機能を有する。
記憶部２２０は、設定テーブル３０、サーバ情報テーブル４０及び取得データ群５０を記憶するためのメモリ領域である。
【００３０】
ここで、設定テーブル３０は、各携帯電話機について、その携帯電話機のユーザが管理サーバ２００に送信させたいデータの種別毎に、その種別のデータの送信を許可する条件等を登録したものである（図６（ａ）参照）。
また、サーバ情報テーブル４０は、各データ提供サーバ（３００ａ、３００ｂ、３００ｃ）のアドレス等を登録したものである（図６（ｂ）参照）。
【００３１】
また、取得データ群５０は、各データ提供サーバから取得したデータを登録したものである。
また、制御部２３０は、管理サーバ２００全体の制御を行うものであり、データ取得部２３１、設定部２３２、特定部２３３及びデータ送信部２３４を含んで構成される。
データ取得部２３１は、記憶部２２０のサーバ情報テーブル４０に登録されている各データ提供サーバのアドレスに基づいて、通信部２１０を介して各データ提供サーバからデータを取得し、記憶部２２０の取得データ群５０用の領域に格納する機能を有する。なお、データ取得部２３１は、取得したデータを、そのデータの宛先となる携帯電話機毎に、そのデータの種別を特定可能に、記憶部２２０の取得データ群５０用の領域に格納する。
【００３２】
設定部２３２は、通信部２１０を介して各携帯電話機から受信した各テーブルに基づいて、設定テーブル３０を更新する機能を有する。
また、特定部２３３は、通信部２１０を介して各携帯電話機から送信許可データが存在するかの問い合わせを受けた場合に、設定テーブル３０に基づいて送信許可データを特定する機能を有する。
【００３３】
また、データ送信部２３４は、特定部２３３が特定した送信許可データを、通信部２１０を介して、上記問い合わせを行った携帯電話機に送信する機能を有する。
＜１−５．データ＞
以下では、携帯電話機１００ａ及び管理サーバ２００が使用するデータについて、図５及び図６を用いて説明する。
【００３４】
＜１−５−１．データ種別テーブル＞
まず、携帯電話機１００ａが使用するデータ種別テーブル１０について説明する。
図５（ａ）は、データ種別テーブル１０のデータ構成例及び内容例を示す図である。
同図に示すように、データ種別テーブル１０は、データ種別１１及びアカウント１２から構成されるデータである。
【００３５】
なお、以下では、対応づけて登録されているデータ種別とアカウントとからなる１件分の情報を「レコード」ともいう。データ種別テーブル１０の各レコードは、ユーザ設定に基づいて、携帯電話機１００ａの指定条件部１５４により登録される。具体的なユーザ設定方法については、後述する（図７、８参照）。
ここで、データ種別１１は、各データ提供サーバから提供される複数のデータの種別のうち、携帯電話機１００ａのユーザが管理サーバ２００に送信させたいデータの種別を示すデータである。同図に示す「メール（ｔｏ）」は、メールサーバ３００ａから提供される自分宛にｔｏで送信されたメールを、「メール（その他）」は、メールサーバ３００ａから提供される自分宛にｔｏ以外で送信されたメールを示している。また、「ＳＮＳ＿Ａ（ダイレクトメッセージ）」は、ＳＮＳサーバＡ３００ｂから提供される自分宛に直接送信され、第三者が閲覧できないメッセージを、「ＳＮＳ＿Ａ（その他）」は、ＳＮＳサーバＡ３００ｂから提供される第三者も閲覧できるメッセージを示している。なお、特に図示していないが、他のデータ種別として「ＳＮＳ＿Ｂ（ダイレクトメッセージ）」及び「ＳＮＳ＿Ｂ（その他）」が存在する。「ＳＮＳ＿Ｂ（ダイレクトメッセージ）」、「ＳＮＳ＿Ｂ（その他）」は、ＳＮＳサーバＢ３００ｃから提供されるデータの種別である点以外は、上記「ＳＮＳ＿Ａ（ダイレクトメッセージ）」、「ＳＮＳ＿Ａ（その他）」と同様である。
【００３６】
また、アカウント１２は、対応する種別のデータを提供するデータ提供サーバから当該種別のデータを取得するためのユーザ識別情報及びパスワードからなる情報である。
同図は、例えば、「メール（ｔｏ）」である種別のデータを取得するためのアカウントは、ユーザ識別情報が「ａ○ａ＠ｂｂｂ．ｎｅ．ｊｐ」であり、パスワードが「ａ△ａ＊＊＊＊＊＊」であることを示している。
【００３７】
＜１−５−２．優先度テーブル＞
次に、携帯電話機１００ａが使用する優先度テーブル１５について説明する。
図５（ｂ）は、優先度テーブル１５のデータ構成例及び内容例を示す図である。
同図に示すように、優先度テーブル１５は、データ種別１６及び優先度１７から構成されるデータである。
【００３８】
なお、以下では、対応づけて登録されているデータ種別と優先度とからなる１件分のデータを「レコード」ともいう。優先度テーブル１５の各レコードは、ユーザ設定に基づいて、携帯電話機１００ａの指定条件部１５４により登録される。具体的なユーザ設定方法については、後述する（図９、１０参照）。
ここで、データ種別１６は、上記データ種別テーブル１０のデータ種別１１と同様、各データ提供サーバから提供される複数のデータの種別のうち、携帯電話機１００ａのユーザが管理サーバ２００に送信させたいデータの種別を示すデータである。
【００３９】
優先度１７は、対応する種別のデータの送信の優先度を示すデータである。なお、本実施の形態では、優先度には２つのレベルがあるものとし、同図では、一例として、「高」と「低」との２つのレベルを示している。
同図は、例えば、「メール（ｔｏ）」である種別のデータの優先度は「高」であることを示している。
【００４０】
＜１−５−３．送信条件テーブル＞
次に、携帯電話機１００ａが使用する送信条件テーブル２０について説明する。
図５（ｃ）は、送信条件テーブル２０のデータ構成例及び内容例を示す図である。
同図に示すように、送信条件テーブル２０は、優先度２１及び送信条件２２から構成されるデータである。
【００４１】
なお、以下では、対応づけて登録されている優先度と送信条件とからなる１件分のデータを「レコード」ともいう。送信条件テーブル２０の各レコードは、ユーザ設定に基づいて、携帯電話機１００ａの指定条件部１５４により登録される。具体的なユーザ設定方法については、後述する（図１１〜１４参照）。
ここで、優先度２１は、データの送信の優先度を示すデータであり、同図では、一例として、「高」と「低」との２レベルを示している。
【００４２】
また、送信条件２２は、対応する優先度のデータを管理サーバ２００に送信させる際の条件を示すデータである。なお、同図に示す「随時」は、携帯電話機１００ａから送信許可データがあるかの問い合わせがあった際に、すぐに送信させることを示しており、また、「１８：００〜９：００（０：００〜６：００を除く、同時送信有）」は、携帯電話機１００ａから送信許可データがあるかの問い合わせを受けた場合において、その時の時刻が「０：００〜６：００」を除き「１８：００〜９：００」に該当するか、又は他の送信許可データがあるときに限って送信させることを示している。
【００４３】
同図は、例えば、優先度が「高」であるデータの送信条件は「随時」であり、優先度が「低」であるデータの送信条件は「１８：００〜９：００（０：００〜６：００を除く、同時送信有）」であることを示している。従って、この例では、携帯電話機１００ａからの問い合わせを受けた場合において、例えば、その時の時刻が「１９：００」である場合や、その時の時刻が「１３：００」であったとしても、その時に、携帯電話機１００ａ宛の送信許可データが存在したときには、優先度「低」のデータも一緒に送信されることになる。
【００４４】
また、図５（ｂ）に示す上記優先度テーブル１５と図５（ｃ）に示す送信条件テーブル２０とによれば、例えば、「メール（ｔｏ）」である種別のデータの送信条件は「随時」であり、「メール（その他）」である種別のデータの送信条件は「１８：００〜９：００（０：００〜６：００を除く、同時送信有）」であることを示している。
＜１−５−４．設定テーブル＞
続いて、管理サーバ２００が使用する設定テーブル３０について説明する。
【００４５】
図６（ａ）は、設定テーブル３０のデータ構成例及び内容例を示す図である。
同図に示すように、設定テーブル３０は、電話番号３１、データ種別３２、アカウント３３及び送信条件３４から構成されるデータである。
なお、以下では、対応づけて登録されている電話番号とデータ種別とアカウントと送信条件とからなる１件分の情報を「レコード」ともいう。
【００４６】
設定テーブル３０の各レコードは、管理サーバ２００の設定部２３２が、通信部２１０を介して各携帯電話機から受信した各テーブルに基づいて登録される。また、設定テーブル３０は、特定部２３３が、通信部２１０を介して各携帯電話機から送信許可データが存在するかの問い合わせを受けた場合に、送信許可データを特定するために参照される。
ここで、電話番号３１は、各携帯電話機（１００ａ、１００ｂ）の識別情報であり、ここでは、一例として、各携帯電話機の電話番号を用いている。同図に示す「０９０○○○○１１１１」は携帯電話機１００ａの電話番号を、「０９０△△△△２２２２」は携帯電話機１００ｂの電話番号を示している。
【００４７】
また、データ種別３２は、対応する電話番号が示す携帯電話機のユーザが管理サーバ２００に送信させたいものとして指定したデータの種別を示している。
また、アカウント３３は、対応する種別のデータを提供するデータ提供サーバから当該種別のデータを取得するためのユーザ識別情報及びパスワードからなるデータである。なお、アカウント３３は、データ取得部２３１が各データ提供サーバからデータを取得する際に参照される。
【００４８】
また、送信条件３４は、対応する種別のデータを管理サーバ２００が送信する際の条件を示すデータである。
同図は、例えば、電話番号が「０９０○○○○１１１１」である携帯電話機（１００ａ）のユーザが送信させたいものとして指定したデータの種別は「メール（ｔｏ）」、「メール（その他）」、「ＳＮＳ＿Ａ（ダイレクトメッセージ）」及び「ＳＮＳ＿Ａ（その他）」であることを示している。また、同図は、この「メール（ｔｏ）」及び「メール（その他）」を取得するためのアカウントは、ユーザ識別情報が「ａ○ａ＠ｂｂｂ．ｎｅ．ｊｐ」であり、パスワードが「ａ△ａ＊＊＊＊＊＊」であり、「ＳＮＳ＿Ａ（ダイレクトメッセージ）」及び「ＳＮＳ＿Ａ（その他）」を取得するためのアカウントは、ユーザ識別情報が「ｃｃｃ×ｄｄｄ」であり、パスワードが「ｃ○ｃ＊＊＊＊＊＊」であることを示している。また、同図は、この種別が「メール（ｔｏ）」及び「ＳＮＳ＿Ａ（ダイレクトメッセージ）」であるデータの送信条件は「随時」であり、種別が「メール（その他）」及び「ＳＮＳ＿Ａ（その他）」であるデータの送信条件は「１８：００〜１９：００（０：００〜６：００を除く、同時送信有）」であることを示している。
【００４９】
＜１−５−５．サーバ情報テーブル＞
続いて、管理サーバ２００が使用するサーバ情報テーブル４０について説明する。
図６（ｂ）は、サーバ情報テーブル４０のデータ構成例及び内容例を示す図である。
同図に示すように、サーバ情報テーブル４０は、名称４１及びアドレス４２から構成されるデータである。
【００５０】
なお、以下では、対応づけて登録されている名称とアドレスとからなる１件分の情報を「レコード」ともいう。
サーバ情報テーブル４０の各レコードは、管理サーバ２００の管理者等により予め登録されているものとする。また、サーバ情報テーブル４０は、管理サーバ２００のデータ取得部２３１が各データ提供サーバからデータを取得する際に参照される。
【００５１】
ここで、名称４１は、各データ提供サーバ（３００ａ、３００ｂ、３００ｃ）の名称を示すデータあり、アドレス４２は、対応する名称が示すデータ提供サーバのアドレスを示すデータである。
同図は、例えば、名称が「メールサーバ」であるデータ提供サーバ（３００ａ）のアドレスは「ｉ○ｉ．ｍａｉｌ．ｎｅ．ｊｐ」であることを示している。
【００５２】
＜１−６．テーブルのユーザ設定方法＞
以下では、携帯電話機１００ａにおけるデータ種別テーブル１０、優先度テーブル１５及び送信条件テーブル２０の各レコードを登録するためのユーザ設定方法について、図７〜１４を用いて説明する。
なお、図７〜１４に示される例では、携帯電話機１００ａの画面例のみを示し、携帯電話機１００ａの筐体などの記載は省略している。
【００５３】
＜１−６−１．データ種別テーブルの設定＞
まず、データ種別テーブル１０に各レコードを登録するためのユーザ設定方法について説明する。
図７及び８は、データ種別テーブル１０に各レコードを登録するためのデータ種別設定画面を示す図である。
【００５４】
ユーザが、各種ユーザ設定の選択が可能な設定メニューにおいて、データ種別設定を選択すると、図７（ａ）に示す画面Ｓ１ａがディスプレイ１１０に表示される。
画面Ｓ１ａは、各データ提供サーバが提供するデータのうち、ユーザが管理サーバ２００に送信させたいデータを指定する画面であり、同図では、まだ、チェックボックスＣ１ａ、Ｃ１ｂ、Ｃ１ｃが共に選択されていない状態を示している。
【００５５】
ユーザが、チェックボックスＣ１ａの選択操作を行うことで、メールサーバ３００ａが提供するメール（ｔｏ及びその他）を指定できる。また、チェックボックスＣ１ｂの選択操作を行うことで、ＳＮＳサーバＡ３００ｂが提供するメッセージ（ダイレクトメッセージ及びその他）を指定できる。また、チェックボックスＣ１ｃの選択操作を行うことで、ＳＮＳサーバＢ３００ｃが提供するメッセージ（ダイレクトメッセージ及びその他）を指定できる。
【００５６】
画面Ｓ１ａにおいて、ユーザが、チェックボックスＣ１ａの選択操作を行うと、図７（ｂ）に示す画面Ｓ１ｂがディスプレイ１１０に表示される。
同図では、チェックボックスＣ１ａが選択された結果、メールサーバ３００ａからメールを取得するためのアカウント設定用のウィンドウＷ１が表示された様子を示している。
図８（ａ）の画面Ｓ１ｃに示すように、ユーザが、このウィンドウＷ１において、メールアドレス及びパスワードの入力を行い、ＯＫボタンＣ１ｆの選択操作を行うと、図８（ｂ）に示す画面Ｓ１ｄがディスプレイ１１０に表示される。
【００５７】
画面Ｓ１ｄでは、符号Ｃ１ｅで示す「メール」の記載部分に下線が表示されている。これは、メールサーバ３００ａへアクセスするためのアカウント設定がなされていることを示している。
なお、特に図示して説明しないが、画面Ｓ１ｄにおいて、ユーザが、更にチェックボックスＣ１ｂの選択操作を行い、ＳＮＳサーバＡ３００ｂへアクセスするためのアカウントを設定した状態で、ＯＫボタンＣ１ｄの選択操作を行ったとする。すると、携帯電話機１００ａの指定条件部１５４により、図５（ａ）に示すように、４つのレコードがデータ種別テーブル１０に登録される。
【００５８】
＜１−６−２．優先度テーブルの設定＞
次に、優先度テーブル１５に各レコードを登録するためのユーザ設定方法について説明する。
図９及び１０は、優先度テーブル１５に各レコードを登録するための優先度設定画面を示す図である。
【００５９】
ユーザが、設定メニューにおいて優先度設定を選択すると、図９（ａ）に示す画面Ｓ２ａがディスプレイ１１０に表示される。
画面Ｓ２ａは、上記データ種別テーブル１０の設定操作により、ユーザが管理サーバ２００に送信させたいデータとして、メール及びＳＮＳ＿Ａのメッセージが選択された結果、図５（ａ）に示すように、データ種別テーブル１０に４つのレコードが登録されていたとした場合に表示される画面である。
【００６０】
画面Ｓ２ａには、ユーザが指定した管理サーバ２００に送信させたいデータの種別それぞれについて、優先度を設定するためのウィンドウＷ２ａが含まれている。
画面Ｓ２ａにおいて、ユーザが、メール（ｔｏ）についての優先度を設定するために、ボックスＣ２ａの選択操作を行うと、図９（ｂ）に示すように、優先度を選択するためのウィンドウＷ２ｂを含む画面Ｓ２ｂがディスプレイ１１０に表示される。
【００６１】
ウィンドウＷ２ｂにおいて、ユーザが、「高」の選択操作を行うと、図１０に示すように、ボックスＣ２ａに「高」が記載された画面Ｓ２ｃがディスプレイ１１０に表示される。
なお、特に図示して説明しないが、画面Ｓ２ｃにおいて、ユーザが、更にボックスＣ２ｂ〜Ｃ２ｄについても選択操作を行い、それぞれのチェックボックスの選択操作を行った際に、例えば、「メール（その他）」については優先度「低」、「ＳＮＳ＿Ａ（ダイレクトメッセージ）」については優先度「高」、「ＳＮＳ＿Ａ（その他）」については優先度「低」を選択したとする。すると、携帯電話機１００ａの指定条件部１５４により、図５（ｂ）に示すように、４つのレコードが優先度テーブル１５に登録される。
【００６２】
＜１−６−３．送信条件テーブルの設定＞
次に、送信条件テーブル２０に各レコードを登録するためのユーザ設定方法について説明する。
図１１〜１４は、送信条件テーブル２０に各レコードを登録するための送信条件設定画面を示す図である。
【００６３】
ユーザが、設定メニューにおいて送信条件設定を選択すると、図１１（ａ）に示すように、優先度「高」、「低」それぞれが設定された種別のデータの送信条件を設定するためのウィンドウＷ３を含む画面Ｓ３ａがディスプレイ１１０に表示される。
画面Ｓ３ａおいて、ユーザが、優先度「高」が設定された種別のデータの送信条件を設定するために、ボックスＣ３ａの選択操作を行うと、図１１（ｂ）に示す画面Ｓ３ｂがディスプレイ１１０に表示される。同図では、優先度「高」が設定された種別のデータの送信条件を選択するためのウィンドウＷ４が表示された様子を示している。
【００６４】
ウィンドウＷ４において、ユーザが、「随時」の選択操作を行うと、図１２（ａ）に示すように、ボックスＣ３ａに「随時」が記載された画面Ｓ３ｃがディスプレイ１１０に表示される。
また、画面Ｓ３ｃにおいて、ユーザが優先度「低」が設定された種別のデータの送信条件を設定するために、ボックスＣ３ｂの選択操作を行うと、図１２（ｂ）に示す画面Ｓ３ｄがディスプレイ１１０に表示される。同図では、優先度「低」が設定された種別のデータの送信条件を選択するためのウィンドウＷ５が表示された様子を示している。
【００６５】
ウィンドウＷ５において、ユーザが、「指定時間帯」の選択操作を行うと、図１３（ａ）に示すように、優先度「低」が設定された種別のデータの送信時間帯を指定するためのウィンドウＷ６を含む画面Ｓ３ｅがディスプレイ１１０に表示される。
ウィンドウＷ６において、ユーザが、上下ボタンＣ６ａ〜Ｃ６ｄの操作を行うことで、この例では、優先度「低」が設定された種別のデータの送信時間帯として、「１８」：「００」〜「９」：「００」が指定されたものとする。続けて、ユーザが、チェックボックスＣ６ｅの選択操作を行うと、図１３（ａ）に示す画面Ｓ３ｆがディスプレイ１１０に表示される。
【００６６】
同図は、図１３（ａ）のウィンドウＷ６で指定した送信時間帯から除外する時間帯を指定するためのウィンドウＷ７が表示された様子を示している。ウィンドウＷ７において、ユーザが、上下ボタンＣ７ａ〜Ｃ７ｄの操作を行うことで、上記送信時間帯から除外する時間帯として、「０」：「００」〜「６」：「００」が指定し、ＯＫボタンＣ７ｅの選択操作を行ったものとする。また、その結果、ディスプレイ１１０には、再びウィンドウＷ６が表示されるので、このウィンドウＷ６において、ユーザが、チェックボックスＣ６ｆの選択操作を行い、ＯＫボタンＣ６ｇの選択操作を行ったものとする。
【００６７】
すると、図１４に示すように、ボックスＣ３ｂに「１８：００〜９：００（０：００〜６：００を除く、同時送信）」が記載された画面Ｓ３ｇがディスプレイ１１０に表示される。
画面Ｓ３ｇにおいて、ユーザが、ＯＫボタンＣ３ｃの選択操作を行うと、携帯電話機１００ａの指定条件部１５４により、図５（ｃ）に示すように、２つのレコードが送信条件テーブル２０に登録される。
【００６８】
＜１−６．動作＞
上記構成を備える携帯電話機１００ａ及び管理サーバ２００の動作について、図１５及び１６を用いて説明する。
＜１−６−１．テーブル設定送信処理及び設定テーブル登録処理＞
図１５は、携帯電話機１００ａによるテーブル設定送信処理及び管理サーバ２００による設定テーブル登録処理を示すフローチャートである。
【００６９】
まず、携帯電話機１００ａのユーザが、データ種別設定を行うと（図７及び８参照）、携帯電話機１００ａの指定条件部１５４は、データ種別テーブル１０の設定を行う（ステップＳ１１）。また、携帯電話機１００ａのユーザが、優先度設定を行うと（図９、１０参照）、指定条件部１５４は、優先度テーブル１５の設定を行う（ステップＳ１２）。また、携帯電話機１００ａのユーザが、送信条件設定を行うと（図１１〜１４参照）、指定条件部１５４は、送信条件テーブル２０の設定を行う（ステップＳ１３）。
【００７０】
そして、指定条件部１５４は、設定した各テーブル（１０、１５、２０）の内容と、自機の電話番号とを、第１通信部１２０又は第２通信部１２１を介して、管理サーバ２００に送信する（ステップＳ１４）。なお、指定条件部１５４は、携帯電話機１００ａの近くにアクセスポイント４が存在し、アクセスポイント４を介してインターネット２に接続できる場合には、優先的に、第２通信部１２１を介して、管理サーバ２００に送信するようにしてもよい。
【００７１】
ステップＳ１４の処理を完了すると、携帯電話機１００ａは、テーブル設定送信処理を終了する。
一方、管理サーバ２００は、上記ステップＳ１４において携帯電話機１００ａから送信された各テーブル及び携帯電話機１００ａの電話番号を受信すると（ステップＳ２１）、設定テーブル３０の設定を行う（ステップＳ２２）。即ち、受信したデータ種別テーブル１０と優先度テーブル１５とをデータ種別で結合し、結合後のテーブルと送信条件テーブル２０とを優先度で結合したテーブルに含まれる各レコードを、受信した携帯電話機１００ａの電話番号と対応付けて設定テーブル３０に登録する。
【００７２】
ステップＳ２２の処理を完了すると、管理サーバ２００は、設定テーブル登録処理を終了する。
＜１−６−２．送信許可データの受信処理及び送信許可データの特定送信処理＞
図１６は、携帯電話機１００ａによる送信許可データの受信処理及び管理サーバ２００による送信許可データの特定送信処理を示すフローチャートである。
【００７３】
なお、同図に示す管理サーバ２００による送信許可データの特定送信処理とは独立した処理として、管理サーバ２００では、各データ提供サーバ（３００ａ、３００ｂ、３００ｃ）それぞれからデータを取得する処理が制御部２３０のデータ取得部２３１により行われ、記憶部２２０には、取得データ群５０が格納されているものとする。
携帯電話機１００ａは、電源がＯＮになると、送信許可データの受信処理を開始し、まず、制御部１５０のモード切替部１５３は、自機の動作モードを通常モードに設定する（ステップＳ３１）。また、モード切替部１５３は、各計時部（１３０、１３１）の計時を初期化して、第１計時部１３０に第１時間（この例では、５秒程度）の計時を開始させる（ステップＳ３２）。
【００７４】
モード切替部１５３は、第１計時部１３０から第１時間を計時した旨の通知がなされたかを判定し（ステップＳ３３）、通知がなされた場合には（ステップＳ３３：ＹＥＳ）、後述するステップＳ４０の処理に進む。
一方、通知がなされていない場合に（ステップＳ３３：ＮＯ）、モード切替部１５３は、コントローラ１１４からの座標値の出力の有無に基づいて、ユーザ操作が一定時間（この例では１５秒）行われていないかを判定する（ステップＳ３４）。最後のユーザ操作から一定時間を経過していない場合に（ステップＳ３４：ＮＯ）、モード切替部１５３は、再びステップＳ３３から処理を行う。
【００７５】
一方、最後のユーザ操作から一定時間を経過した場合に（ステップＳ３４：ＹＥＳ）、モード切替部１５３は、自機の動作モードを省電力モードに設定し（ステップＳ３５）、第２計時部１３１に第２時間（この例では、２０秒程度）の計時を開始させる（ステップＳ３６）。
モード切替部１５３は、第２計時部１３１から第２時間を計時した旨の通知がなされたかを判定し（ステップＳ３７）、通知がなされていない場合には（ステップＳ３７：ＮＯ）、コントローラ１１４からの入力割り込みがあったかを判定する（ステップＳ３８）。
【００７６】
モード切替部１５３は、入力割込みがあった場合には（ステップＳ３８：ＹＥＳ）、再びステップＳ３１から処理を行い、入力割込みがなかった場合には（ステップＳ３８：ＮＯ）、再びステップＳ３７から処理を行う。
一方、ステップＳ３７において、第２計時部１３１から第２時間を計時した旨の通知がなされた場合に（ステップＳ３７：ＹＥＳ）、モード切替部１５３は、自機の動作モードを通常モードに設定する（ステップＳ３９）。
【００７７】
また、データ取得部１５５は、第１通信部１２０又は第２通信部１２１を介して、管理サーバ２００に送信許可データが存在するかの問い合わせを行う（ステップＳ４０）。なお、データ取得部１５５は、携帯電話機１００ａの近くにアクセスポイント４が存在し、アクセスポイント４を介してインターネット２に接続できる場合には、優先的に、第２通信部１２１を介して、管理サーバ２００に問い合わせを行ってもよい。
【００７８】
また、データ取得部１５５は、管理サーバ２００に問い合わせを行った際に用いた通信部（第１通信部１２０又は第２通信部１２１）を介して、管理サーバ２００から送信許可データを受信したかを判定する（ステップＳ４１）。
送信許可データを受信した場合に（ステップＳ４１：ＹＥＳ）、データ取得部１５５は、表示制御部１５１を介してディスプレイ１１０のＬＣＤ１１１に、送信許可データを受信した旨の通知を表示し（ステップＳ４２）、モード切替部１５３は、再びステップＳ３２から処理を行う。
【００７９】
一方、送信許可データを受信せず、後述する送信許可データがない旨のメッセージを受信した場合に（ステップＳ４１：ＮＯ）、データ取得部１５５は、特に何の処理を行うことなく、モード切替部１５３は、再びステップＳ３２から処理を行う。
一方、管理サーバ２００は、ステップＳ４０において携帯電話機１００ａから行われた送信許可データが存在するかの問い合わせを受信する（ステップＳ５１）。
【００８０】
すると、特定部２３３は、設定テーブル３０に基づいて、各データ提供サーバから取得し記憶部２２０に格納されている取得データ群５０の中から、携帯電話機１００ａの送信許可データを特定する（ステップＳ５２）。
例えば、図６に示す設定テーブル３０の例では、携帯電話機１００ａのユーザ宛（ａ○ａ＠ｂｂｂ）にｔｏで送信されたメール及びＳＮＳサーバＡ３００ｂから取得した携帯電話機１００ａのユーザ宛（ｃｃｃ×ｄｄｄ）のダイレクトメッセージが、取得データ群５０の中に存在する場合、これらのデータは、送信許可データとして特定される。
【００８１】
また、例えば、図６に示す設定テーブル３０の例では、携帯電話機１００ａのユーザ宛（ａ○ａ＠ｂｂｂ）にｃｃやｂｃｃで送信されたメール及びＳＮＳサーバＡ３００ｂから取得した携帯電話機１００ａのユーザ宛（ｃｃｃ×ｄｄｄ）のダイレクトメッセージ以外のメッセージが取得データ群５０の中に存在する場合、これらのデータは、以下の場合に限り送信許可データとして特定される。即ち、これらのデータは、現在時刻が、１８：００〜９：００（但し、０：００〜６：００を除く）に該当するか、携帯電話機１００ａのユーザ宛（ａ○ａ＠ｂｂｂ）にｔｏで送信されたメール又はＳＮＳサーバＡ３００ｂから取得した携帯電話機１００ａのユーザ宛（ｃｃｃ×ｄｄｄ）のダイレクトメッセージが、取得データ群５０の中に存在する場合に限り、送信許可データとして特定される。
【００８２】
続いて、データ送信部２３４は、特定部２３３が特定した送信許可データがあるかを判定する（ステップＳ５３）。送信許可データがある場合に（ステップＳ５３：ＹＥＳ）、データ送信部２３４は、特定部２３３が特定した送信許可データの全てを、通信部２１０を介して携帯電話機１００ａに送信し（ステップＳ５４）、管理サーバ２００は、送信許可データの特定送信処理を終了する。
【００８３】
一方、特定部２３３が特定した送信許可データがない場合に（ステップＳ５３：ＮＯ）、データ送信部２３４は、送信許可データがない旨のメッセージを、通信部２１０を介して携帯電話機１００ａに送信し（ステップＳ５５）、管理サーバ２００は、送信許可データの特定送信処理を終了する。
≪２．補足≫
以上、本発明に係る携帯端末及び管理サーバを、実施の形態に基づいて説明したが、以下のように変形することも可能であり、本発明は上述した実施の形態で示した通りの各携帯電話機（１００ａ、１００ｂ）及び管理サーバ２００に限られないことは勿論である。
【００８４】
（１）実施の形態では、携帯電話機１００ａの第１計時部１３０が計時する第１時間及び第２計時部１３１が計時する第２時間は、携帯電話機１００ａのメーカにより予め設定されているものとして説明した。しかしながら、第１計時部１３０が計時する第１時間及び第２計時部１３１が計時する第２時間として、ユーザが任意の時間を設定できるようにしてもよいし、予め用意されていた複数の選択肢の中からユーザが所望の時間を選択して設定できるようにしてもよい。
【００８５】
（２）実施の形態では、省電力モードの一例として、バックライト１１２を消灯させ、かつ携帯電話機１００ａのプロセッサをコントローラ１１４からの入力割り込み待ちにした状態を説明したが、この状態に限らず、携帯電話機１００ａの電力消費を低減した状態は、省電力状態に含まれる。例えば、携帯電話機１００ａが備えるプロセッサを入力割り込み待ちにすることなくバックライト１１２を消灯させる状態や、バックライト１１２を減光させる状態や、バックライト１１２を減光させると共に携帯電話機１００ａが備えるプロセッサを入力割り込み待ちにする状態や、バックライト１１２を消灯又は減光させることなく携帯電話機１００ａが備えるプロセッサを入力割り込み待ちにする状態も省電力モードに含まれる。
【００８６】
（３）実施の形態では、携帯電話機１００ａが、各テーブル（１０、１５、２０）を管理サーバ２００に送信し、管理サーバ２００が、受信したテーブルに基づいて、設定テーブル３０に登録するレコードを生成し登録するものとして説明した（図１５のステップＳ１４及びＳ２２）。しかしながら、携帯電話機１００ａが設定テーブル３０に登録すべきレコードを生成して管理サーバ２００に送信し、管理サーバ２００は受信したレコードを設定テーブル３０に登録するようにしてもよい。
【００８７】
（４）実施の形態では、優先度には「高」、「低」の２つのレベルが存在するものとして説明したが、「高」、「中」、「低」や、「レベル１」、「レベル２」、「レベル３」、「レベル４」というように、３つ以上のレベルが存在してもよい。
（５）実施の形態では、図８（ｂ）に示すように、携帯電話機１００ａのユーザが管理サーバ２００に送信させたいデータの種別を、各データ提供サーバの単位で指定できるものとして説明した。即ち、例えば、図８（ｂ）に示すように、チェックボックスＣ１ａが選択された状態で、ＯＫボタンＣ１ｆの選択操作が行われた場合には、「メール（ｔｏ）」だけでなく「メール（その他）」も指定されるものとして説明した（図５（ａ）参照）。
【００８８】
しかしながら、より細かいデータの種別の単位で指定できるようにしてもよい。例えば、図７（ｂ）に示すウィンドウＷ１において、「メール（ｔｏ）」と「メール（その他）」とをそれぞれ選択するための２つのチェックボックスを表示するようにし、「メール（ｔｏ）」と「メール（その他）」とのいずれかのみを指定できるようにしてもよい。
（６）実施の形態で説明した送信条件テーブル２０における送信条件の選択肢として、携帯電話機１００ａの検出部１５２が、アクセスポイント４を介してインターネット２に接続したことを検出したことを追加してもよい。以下、この送信条件のことを「アクセスポイント接続時」と表記する。
【００８９】
その場合、管理サーバ２００は、送信許可データが存在するかの問い合わせを行ってきた携帯電話機１００ａが基地局３を介して通信しているのか、アクセスポイント４を介して通信しているのかを識別できる必要がある。従って、例えば、この問い合わせを行う際に、基地局３とアクセスポイント４とのいずれを介して通信しているのかを示す情報を、管理サーバ２００に送信するよう、携帯電話機１００ａを変形してもよい。
【００９０】
この送信条件「アクセスポイント接続時」を、例えば、優先度が「低」である種別のデータの送信条件として設定した場合、優先度が「低」である種別のデータは、この変形に係る携帯電話機がアクセスポイント４を介して問い合わせを行ってきた場合にのみ送信されることになる。
ここで、携帯電話機の課金方式として、基地局３を介した通信については、通信量に応じて通信料金が変化し（いわゆる従量制）かつアクセスポイント４を介した通信については、通信量によらず通信料金が一定額である（いわゆる定額制）課金方式が適用されているものとする。この場合において、送信条件「アクセスポイント接続時」を、優先度が「低」であるデータの送信条件に設定することで、ユーザにとって比較的重要度が低いと考えられるデータにより通信料金が増加してしまうことを抑制できる。
【００９１】
（７）実施の形態では、複数のデータ提供サーバの一例として、メールサーバ３００ａ、ＳＮＳサーバＡ３００ｂ及びＳＮＳサーバＢ３００ｃを用いて説明したが、各種データを提供するその他のサーバも、データ提供サーバに含まれる。例えば、動画や音楽等のコンテンツを配信するコンテンツ配信サーバもデータ提供サーバに含まれる。
この場合において、送信条件テーブル２０における送信条件の選択肢として、受信対象のデータ全体のうちの所定長分のデータを管理サーバが取得済であることを追加してもよい。以下、この送信条件のことを「所定長分取得済」と表記する。
【００９２】
この送信条件「所定長分取得済」を、例えば、コンテンツ配信サーバが提供するコンテンツデータについての送信条件として設定した場合、この変形に係る管理サーバから、所定長分以上のコンテンツデータがまとめてこの変形に係る携帯電話機に送信されることになる。従って、この携帯電話機は、いわゆるストリーミングによりコンテンツを再生する場合に、途中でコンテンツの再生が中断することなく、スムーズに再生できる可能性を高めることができる。
【００９３】
（８）実施の形態に係る携帯電話機１００ａはストレート型の端末であるものとして説明したが、他の外観（折りたたみ式、スライド式等）を有する端末であってもよい。
また、実施の形態に係る携帯電話機１００ａのディスプレイ１１０の形状は略矩形状であるとして説明したが、例えば、円形状、その他多角形状であってもよい。また、ディスプレイ１１０は、ＬＣＤを含むものとして説明したが、有機ＥＬ（Ｅｌｅｃｔｒｏ−Ｌｕｍｉｎｅｓｃｅｎｃｅ）等を含むようにしてもよい。
【００９４】
（９）実施の形態において説明した携帯電話機１００ａ及び管理サーバ２００の各構成要素のうち、全部又は一部を１チップ又は複数チップの集積回路で実現してもよいし、コンピュータのプログラムで実現してもよいし、その他どのような形態で実現してもよい。
また、実施の形態において説明した携帯電話機１００ａ及び管理サーバ２００の各構成要素は、携帯電話機１００ａ、管理サーバ２００がそれぞれ有するプロセッサと協働することにより、その機能を実現する。
【００９５】
（１０）実施の形態において説明した携帯電話機１００ａ及び管理サーバ２００の処理（図１５、１６参照）をプロセッサに実行させるためのプログラムを、記録媒体に記録し又は各種通信路等を介して、流通させ頒布することもできる。このような記録媒体には、ＩＣカード、ハードディスク、光ディスク、フレキシブルディスク、ＲＯＭ、フラッシュメモリ等がある。流通、頒布されたプログラムは、機器におけるプロセッサで読み取り可能なメモリ等に格納されることにより利用に供され、そのプロセッサがそのプログラムを実行することにより実施の形態で示した携帯電話機１００ａ及び管理サーバ２００の各機能が実現される。
【００９６】
（１１）実施の形態に係る携帯電話機１００ａ及び管理サーバ２００に、上記（１）〜（１０）の一部又は全部の変形を組み合わせて適用してもよい。
（１２）以下、更に本発明の一実施形態に係る携帯端末及び管理サーバの構成及びその変形例と各効果について説明する。
（ａ）本発明の一実施形態に係る携帯端末は、複数のデータ提供サーバそれぞれからデータを取得し管理する管理サーバと通信を行う携帯端末であって、複数のデータの種別それぞれについての、当該種別のデータの送信を前記管理サーバに許可させる条件を示す条件情報を当該管理サーバへ送信する条件送信部と、前記管理サーバが取得した各データのうち、前記条件情報に基づいて送信を許可するデータが存在するかを前記管理サーバに問い合わせ、存在する場合に、当該管理サーバから当該送信を許可するデータを受信するデータ受信部とを備える。
【００９７】
この携帯端末は、管理サーバが複数のデータ提供サーバそれぞれから取得したデータのうち、自端末が送信した条件情報に基づいて、管理サーバが送信を許可するデータのみを当該管理サーバから受信できる。
例えば、自分宛にｔｏで送信されたメール等、ユーザがすぐに参照したいと考える種別のデータについては、随時送信するように、一斉送信のメール等、ユーザがすぐに参照しなくてもよいと考える種別のデータについては、特定の時間帯に送信するように条件情報を設定したものとする。
【００９８】
この場合、管理サーバが複数のデータ提供サーバそれぞれから取得したデータを無条件で受信する場合と比較し、１回あたりのデータの受信にかかる時間を減らし得る。よって、この携帯端末によれば、一定時間内の電力消費量を抑え、バッテリーの持ちを良くすることができる。
また、この携帯端末は、管理サーバに１回の問い合わせを行うだけで、複数のデータ提供サーバそれぞれのデータを受信できる。従って、複数のデータ提供サーバそれぞれに問い合わせてデータを受信する場合と比較し、問い合わせ回数を減らすことができ、一定時間内の電力消費量を抑え、バッテリーの持ちを良くすることができる。
【００９９】
（ｂ）また、前記条件情報は、前記複数のデータの種別それぞれについての、複数のレベルからなる優先度の中からユーザにより指定された１つのレベルに応じて定まる条件を示すものであることとしてもよい。
この携帯端末によれば、優先度のレベルに応じて、送信を許可する条件が定まるので、ユーザは、複数のデータの種別それぞれについて優先度のレベルを指定することで、複数のデータの種別それぞれについての送信を許可する条件の指定を簡単に行うことができる。
【０１００】
（ｃ）また、前記優先度には、第１レベルと当該第１レベルより低い第２レベルとが含まれ、前記条件情報が示す前記第１レベルが設定された種別のデータについての条件より、前記条件情報が示す前記第２レベルが設定された種別のデータについての条件の方が制限的であることとしてもよい。
この携帯端末によれば、優先度のレベルの高、低（第１レベル、第２レベル）に合わせて、送信を許可する条件をより制限的にしているので、一般的に、この対応付けは、ユーザの感覚と一致しやくすく、ユーザは、複数のデータの種別それぞれについての送信を許可する条件の指定を簡単に行うことができる。
【０１０１】
（ｄ）また、前記条件情報は、前記複数のデータの種別それぞれについての、当該種別のデータの送信を許可させる時間的条件を示すものであることとしてもよい。
この携帯端末によれば、優先度のレベルの高、低（第１レベル、第２レベル）に合わせて、送信を許可させる条件を時間的に制限している。
例えば、第１レベルが設定された種別のデータについては、随時送信するように、第２レベルが設定された種別のデータについては、特定の時間帯に送信するように、送信を許可する条件を設定しておく。
【０１０２】
これにより、管理サーバが複数のデータ提供サーバそれぞれから取得したデータを無条件で受信する場合と比較し、１回あたりのデータの受信にかかる時間を減らし得る。よって、この携帯端末によれば、一定時間内の電力消費量を抑え、バッテリーの持ちを良くすることができる。
（ｅ）また、前記携帯端末は、基地局を介した電話網への接続とアクセスポイントを介したネットワークへの接続とが可能であり、更に前記アクセスポイントを介した前記ネットワークへの接続を検出する検出部を備え、前記条件情報が示す前記第２レベルが設定された種別のデータについての条件は、前記検出部が前記アクセスポイントを介した前記ネットワークへの接続を検出したことであり、前記データ受信部は、前記管理サーバが前記送信を許可するデータを、前記アクセスポイントを介して受信することとしてもよい。
【０１０３】
この携帯端末によれば、第２レベルが設定された種別のデータについては、アクセスポイントを介して取得する。従って、基地局を介した通信については、通信量に応じて通信料金が変化し（いわゆる従量制）、かつアクセスポイントを介した通信については、通信量によらず通信料金が一定額である（いわゆる定額制）課金方式がこの携帯端末に適用されている場合に、優先度が比較的低いデータの受信にかかる通信料金の増加を抑制し得る。
【０１０４】
（ｆ）また、前記条件情報が示す前記第２レベルが設定された種別のデータについての条件は、前記管理サーバにより取得された各データの中に、前記第１レベルが設定された種別のデータが存在しない場合には有効とし、前記第１レベルが設定された種別のデータが存在する場合には無効とし、代わりに前記第１レベルが設定された種別のデータについての条件を有効とすることとしてもよい。
【０１０５】
この携帯端末によれば、第２レベルが設定された種別のデータについての条件は、管理サーバにより取得された各データの中に、第１レベルが設定された種別のデータが存在する場合には、無効にし、代わりに第１レベルが設定された種別のデータについての条件を有効にする。
従って、管理サーバにより取得された各データの中に、第１レベル及び第２レベルが設定された種別のデータが存在する場合に、この携帯端末は、第１レベルが設定された種別のデータを受信する際に、まとめて第２レベルが設定された種別のデータも受信することができる。
【０１０６】
（ｇ）また、前記データ受信部は、前記管理サーバに問い合わせた結果、前記送信を許可するデータが存在する場合に、当該送信を許可するデータの全てを受信することとしてもよい。
この携帯端末は、１回の問い合わせにより、管理サーバが送信を許可するデータをまとめて受信するので、複数回のセッションに分けて受信する場合と比較し、通信時間を抑えることができ、電力消費量を抑え、バッテリーの持ちを良くすることができる。
【０１０７】
（ｈ）また、前記携帯端末は、一定時間以上ユーザ操作がない場合に、動作モードを通常モードから、当該通常モードよりも電力消費の少ない省電力モードに切り替え、ユーザ操作があるまで、所定時間毎に、前記省電力モードから前記通常モードに切り替えるモード切替部を備え、前記データ受信部は、バッテリーからの電力供給を受けて、前記通常モードである場合に、前記問い合わせを行うこととしてもよい。
【０１０８】
この携帯端末は、動作モードを通常モードよりも電力消費の少ない省電力モードに切り替えることができ、通常モードである場合に管理サーバへの問い合わせを行うので、一定時間内の電力消費量を抑え、バッテリーの持ちを良くすることができる。
また、特に、この携帯端末は、複数のデータ提供サーバそれぞれが提供するデータを管理サーバから受信するので、複数のデータ提供サーバそれぞれから受信する場合と比較し、省電力モードで動作する期間をより確実に確保し、一定時間内の電力消費量を抑えることができる。
【０１０９】
（ｉ）また、前記携帯端末は、更に前記管理サーバが、前記複数のデータ提供サーバから取得するデータの種別を指定する指定情報を送信する指定送信部を備えることとしてもよい。
この携帯端末は、管理サーバに、複数のデータ提供サーバが提供するデータの種別のうち、ユーザが所望する種別のデータのみを取得させることができるので、ユーザが不要なデータを受信することで生じる電力消費を抑制できる。
【０１１０】
（ｊ）本発明の一実施形態に係る管理サーバは、複数のデータ提供サーバ及び携帯端末それぞれと通信を行う管理サーバであって、前記複数のデータ提供サーバそれぞれからデータを取得する取得部と、前記取得部が取得した各データを記憶するデータ記憶部と、複数のデータの種別それぞれについての、当該種別のデータの送信を許可する条件を示す条件情報を記憶する条件記憶部と、前記携帯端末からの問い合わせがあった場合に、前記データ記憶部が記憶する各データのうち、前記条件情報が示す条件に合致するデータを特定する特定部と、前記特定部が特定したデータを前記携帯端末に送信する送信部とを備える。
【０１１１】
この管理サーバは、複数のデータ提供サーバそれぞれから取得したデータのうち、携帯端末から受信した条件情報が示す送信を許可する条件に合致するデータのみを携帯端末に送信できる。
例えば、携帯端末のユーザが、すぐに参照したいと考える種別のデータについては、随時送信するように、すぐに参照しなくてもよいと考える種別のデータについては、特定の時間帯に送信するように、条件情報が設定されていたとする。
【０１１２】
この場合において、管理サーバは、複数のデータ提供サーバそれぞれから取得したデータを無条件で送信する場合と比較し、携帯端末における１回あたりのデータの受信にかかる時間を減らし得る。よって、携帯端末における一定時間内の電力消費量を抑え、バッテリーの持ちを良くすることができる。
また、この管理サーバは、複数のデータ提供サーバそれぞれからデータを取得しておくので、携帯端末は、この管理サーバに１回の問い合わせを行うだけで、複数のデータ提供サーバそれぞれのデータを受信できる。従って、携帯端末が、複数のデータ提供サーバそれぞれに問い合わせてデータを受信する場合と比較し、携帯端末における問い合わせ回数を減らすことができ、携帯端末における一定時間内の電力消費量を抑え、バッテリーの持ちを良くすることができる。
【０１１３】
（１３）本発明に係る携帯端末の条件送信部及び指定送信部は、例えば、実施の形態に係る携帯電話機１００ａの第１通信部１２０及び指定条件部１５４に相当する。また、本発明に係る携帯端末のデータ受信部は、例えば、実施の形態に係る携帯電話機１００ａの第１通信部１２０及びデータ取得部１５５に相当する。また、本発明に係る携帯端末の検出部は、例えば、実施の形態に係る携帯電話機１００ａの検出部１５２に、本発明に係る携帯端末のモード切替部は、例えば、実施の形態に係る携帯電話機１００ａのモード切替部１５３にそれぞれ相当する。
【０１１４】
また、本発明に係る管理サーバの取得部及び送信部は、例えば、実施の形態に係る管理サーバ２００の通信部２１０、データ取得部２３１及びデータ送信部２３４に相当する。また、本発明に係る管理サーバのデータ記憶部及び条件記憶部は、例えば、実施の形態に係る管理サーバ２００の記憶部２２０に相当する。また、本発明に係る管理サーバの特定部は、実施の形態に係る管理サーバ２００の特定部２３３に相当する。
【産業上の利用可能性】
【０１１５】
本発明に係る携帯端末は、複数のデータ提供サーバそれぞれが提供するデータを受信する際に利用できる。
【符号の説明】
【０１１６】
１    携帯電話網
２    インターネット
３    基地局
４    アクセスポイント
１００ａ、１００ｂ    携帯電話機
１０１    筺体
１０２    レシーバ
１０３    マイク
１１０    ディスプレイ
１１１    ＬＣＤ
１１２    バックライト
１１３    タッチパッド
１１４    コントローラ
１２０    第１通信部
１２１    第２通信部
１３０    第１計時部
１３１    第２計時部
１４０    記憶部
１５０    制御部
１５１    表示制御部
１５２    検出部
１５３    モード切替部
１５４    指定条件部
１５５    データ取得部
２００    管理サーバ
２１０    通信部
２２０    記憶部
２３０    制御部
２３１    取得部
２３２    設定部
２３３    特定部
２３４    データ送信部
３００ａ    メールサーバ（データ提供サーバ）
３００ｂ    ＳＮＳサーバＡ（データ提供サーバ）
３００ｃ    ＳＮＳサーバＢ（データ提供サーバ）
【図１】
0005856900.tif 000002
【図２】
0005856900.tif 000003
【図３】
0005856900.tif 000004
【図４】
0005856900.tif 000005
【図５】
0005856900.tif 000006
【図６】
0005856900.tif 000007
【図７】
0005856900.tif 000008
【図８】
0005856900.tif 000009
【図９】
0005856900.tif 000010
【図１０】
0005856900.tif 000011
【図１１】
0005856900.tif 000012
【図１２】
0005856900.tif 000013
【図１３】
0005856900.tif 000014
【図１４】
0005856900.tif 000015
【図１５】
0005856900.tif 000016
【図１６】
0005856900.tif 000017